(57)【要約】【課題】頬及び側頭部にかかる負担を低減させて寝心地を良好にすることができる枕を提供する。【解決手段】一実施形態に係る枕は、長手方向Ａ１、及び長手方向Ａ１に交差する幅方向Ａ２に延びる布製のカバー１Ａを備えた枕１である。カバー１Ａは、長手方向Ａ１及び幅方向Ａ２の中央に位置する中央部２と、中央部２の長手方向Ａ１の両側に位置する両側部３と、を備える。両側部３は、中央部２から離れるに従って広がる形状とされており、両側部３及び中央部２は、両端部４と比較して伸縮性が高い布地によって構成されている。【選択図】図１
2018108136.tif 000002
【特許請求の範囲】
【請求項１】
第１方向、及び前記第１方向に交差する第２方向に延びる布製のカバーを備えた枕であって、
前記カバーは、
前記第１方向及び前記第２方向の中央に位置する中央部と、
前記中央部の前記第１方向の両側に位置する両側部と、
を備え、
前記両側部は、前記中央部から離れるに従って広がる形状とされており、
前記両側部及び前記中央部は、他の部分と比較して伸縮性が高い布地によって構成されている、
枕。
【請求項２】
前記両側部は、前記第１方向及び前記第２方向に対して傾斜する斜辺を有する、
請求項１に記載の枕。
【請求項３】
前記カバーの内部空間を仕切るように前記カバーの内面に固定された固定部と、
前記カバーの内面及び前記固定部の間に収容される芯材と、
を更に備え、
前記芯材は、前記第１方向及び前記第２方向の中央に位置する第１部分と、前記第１部分の前記第１方向の両側に位置する第２部分と、を有し、
前記第１部分及び前記第２部分は、前記芯材の他の部分と比較して伸縮性が高い布地によって構成されている、
請求項１又は２に記載の枕。
【請求項４】
前記第１部分の内部空間と前記第２部分の内部空間とは仕切られており、
前記第１部分の内部空間と前記第２部分の内部空間には内容物が収容されており、
前記第２部分の内部空間に収容される内容物は、前記第１部分の内部空間に収容される内容物よりも柔らかい材料によって構成されている、
請求項３に記載の枕。
【発明の詳細な説明】
【技術分野】
【０００１】
本発明は、使用者の頭部が乗せられる枕に関する。
【背景技術】
【０００２】
特開２００８−６７８１１号公報には、長手方向に延びる４つの凸条部を備えた枕が記載されている。４つの凸条部は、互いに平行且つ直線状に延びており、２つの凸条部の間には窪みが形成されている。この枕は、ナイロン織物で構成された袋と、この袋の内部に収容されるビーズ又はそば殻等の内容物とを備える。
【０００３】
この枕において、枕の幅方向中央側に位置する２つの凸条部の高さは、枕の幅方向両端側に位置する２つの凸条部の高さよりも低くなっている。この枕に使用者の後頭部を乗せると、幅方向両端側に位置する２つの突条部の間に後頭部が入り込む。よって、相対的に高い２つの突条部の間に後頭部を入り込ませることにより、後頭部の位置の安定を図っている。
【先行技術文献】
【特許文献】
【０００４】
【特許文献１】特開２００８−６７８１１号公報
【発明の概要】
【発明が解決しようとする課題】
【０００５】
前述した枕では、相対的に高い一対の突条部の間に後頭部が入り込むので、後頭部を安定させることは可能である。しかしながら、この枕では、使用者が横向き寝をしたときに、使用者の首と枕との間に隙間が形成され、枕から首が浮いてしまう。また、横向き寝をした状態において、使用者の頬は枕に密着している。従って、首が枕から浮くと共に頬が枕に密着した状態となるため、頬に対する圧力が高くなり、頬を圧迫して側頭部に負担がかかる懸念がある。頬又は側頭部にかかる負担が大きくなると寝返りをしづらくなるので、寝心地が損なわれる可能性がある。
【０００６】
本発明は、頬及び側頭部にかかる負担を低減させて寝心地を良好にすることができる枕を提供することを目的とする。
【課題を解決するための手段】
【０００７】
本発明の一側面に係る枕は、第１方向、及び第１方向に交差する第２方向に延びる布製のカバーを備えた枕であって、カバーは、第１方向及び第２方向の中央に位置する中央部と、中央部の第１方向の両側に位置する両側部と、を備え、両側部は、中央部から離れるに従って広がる形状とされており、両側部及び中央部は、他の部分と比較して伸縮性が高い布地によって構成されている。
【０００８】
この枕は、第１方向及び第２方向の中央に位置する中央部と、中央部の第１方向の両側に位置する両側部とを備え、両側部は、中央部から離れるに従って広がる形状とされている。よって、使用者が横向き寝をしたときには、頬及び側頭部を両側部に入りやすくすることができる。また、この枕では、中央部及び両側部は、他の部分と比較して伸縮性が高い布地によって構成されている。従って、使用者が横向き寝をすると、頬及び側頭部は伸縮性の高い両側部に入り込む。一方、使用者が横向き寝をしたときに、使用者の首は、両側部の第２方向両端側に位置する伸縮性の低い部分に接触する。よって、頬及び側頭部は伸縮性が高い部分に入り込むと共に首は伸縮性が低い部分に接触し、伸縮性が高い頬及び側頭部の接触部分を伸縮性が低い首の接触部分よりも凹ませることができる。従って、伸縮性が低い部分に使用者の首を埋め込ませることができるので、首が枕から浮くことを抑制することができる。このように、首を枕に埋め込ませることによって頬に対する圧力を低減させることができるので、頬及び側頭部にかかる負担を低減させることができる。従って、寝返り性を高めることができるので寝心地を良好にすることができる。
【０００９】
また、前述した両側部は、第１方向及び第２方向に対して傾斜する斜辺を有してもよい。この場合、使用者が横向き寝をしたときに頬を両側部に一層入り込ませやすくすることができると共に、首を枕に密着させることができる。従って、横向き寝をしたときにおける頬への圧迫感を低減させることができるので、横向き寝をしたときのフィット感を良好にすることができる。
【００１０】
また、カバーの内部空間を仕切るようにカバーの内面に固定された固定部と、カバーの内面及び固定部の間に収容される芯材と、を更に備え、芯材は、第１方向及び第２方向の中央に位置する第１部分と、第１部分の第１方向の両側に位置する第２部分と、を有し、第１部分及び第２部分は、芯材の他の部分と比較して伸縮性が高い布地によって構成されていてもよい。この場合、使用者の後頭部が乗せられる第１部分、及び第１部分の第１方向の両側に位置する第２部分は、他の部分と比較して伸縮性が高い布地によって構成されている。よって、芯材の布地の構成がカバーの布地の構成と同様になるため、芯材とカバーとの相乗効果により、頬及び側頭部への負担軽減の効果をより高めることができる。従って、寝返り性を一層高めることができるので、寝心地を更に良好にすることができる。
【００１１】
また、第１部分の内部空間と第２部分の内部空間とは仕切られており、第１部分の内部空間と第２部分の内部空間には内容物が収容されており、第２部分の内部空間に収容される内容物は、第１部分の内部空間に収容される内容物よりも柔らかい材料によって構成されていてもよい。この場合、芯材の第１方向の両端側に位置する第２部分を柔らかくすることができるので、横向き寝をしたときの頬への圧迫感を更に和らげることができる。従って、横向き寝をしたときのフィット感を一層高めることができる。
【発明の効果】
【００１２】
本発明によれば、頬及び側頭部にかかる負担を低減させて寝心地を良好にすることができる。
【図面の簡単な説明】
【００１３】
【図１】実施形態に係る枕を示す平面図である。
【図２】図１のII−II線断面図である。
【図３】図１の枕の芯材を示す斜視図である。
【図４】図３の芯材を示す平面図である。
【図５】図３の芯材を示す底面図である。
【図６】図１の枕と使用者との位置関係を示す図である。
【発明を実施するための形態】
【００１４】
以下、図面を参照しながら実施形態に係る枕について説明する。以下の説明において、同一又は相当する要素には同一の符号を付し、重複する説明を省略する。
【００１５】
図１に示されるように、本実施形態に係る枕１は、全体的に長方形状を成しており、高い柔軟性を有している。枕１は、例えば、汚れ防止のための枕カバーに収容された状態で使用される枕本体である。枕１は、マットレス等の敷き寝具の上に乗せられて使用される。枕１は、その長手方向Ａ１（第１方向）に延在する２つの端辺１ａ、及び幅方向Ａ２（第２方向）に延在する２つの端辺１ｂを有する。長手方向Ａ１及び幅方向Ａ２は、互いに交差しており、例えば互いに直交している。
【００１６】
各端辺１ａは、その長手方向Ａ１の中央部分に幅方向Ａ２の内側に窪む凹部１ｃを備えており、凹部１ｃは緩やかに曲線状に湾曲している。この凹部１ｃによって、枕１は使用者Ｍの首Ｍ１（図６参照）を乗せやすい形状とされている。各端辺１ｂは、幅方向Ａ２に直線状に延びており、紐状の補強部１ｄを有する。
【００１７】
枕１は、平面視における枕１の中心Ｏを通り長手方向Ａ１に延びる中心軸線Ｌ１に対して対称な形状とされている。また、枕１は、中心Ｏを通り幅方向Ａ２に延びる中心軸線Ｌ２に対して対称な形状とされている。よって、枕１は、長手方向Ａ１への向き又は幅方向Ａ２への向きを逆にしても、同じように使用することが可能である。
【００１８】
枕１は、後述する芯材１０を収容するカバー１Ａを備える。カバー１Ａは、その長手方向Ａ１及び幅方向Ａ２の中央に位置する中央部２と、中央部２の長手方向Ａ１の両側に位置する両側部３と、中央部２及び両側部３の幅方向Ａ２の両端側に位置する両端部４とを備えている。中央部２及び両側部３は長手方向Ａ１に沿って並設されており、中央部２は２つの両側部３の間に位置している。また、中央部２及び両側部３と両端部４とは幅方向Ａ２に沿って並設されており、中央部２及び両側部３は、２つの両端部４の間に位置している。
【００１９】
中央部２は、菱形状とされている。中央部２は、その２本の対角線が、それぞれ長手方向Ａ１及び幅方向Ａ２に延びている。中央部２の長手方向Ａ１に延びる対角線は、中央部２の幅方向Ａ２に延びる対角線よりも長い。また、中央部２の四辺は、完全な直線状ではなく、緩やかに湾曲している。
【００２０】
中央部２は、例えば、パワーストレッチで構成されており、中央部２の伸び率は４０％以上である。中央部２の伸び率は、例えば両側部３の伸び率と同等であり、且つ、両端部４の伸び率よりも高い。ここで「伸び率」とは、ＪＩＳ  Ｌ  １０９６の「織物及び織物の生地試験方法」によって測定された伸び率を示している。中央部２は、ポリエチレンの糸が縦横に編み上げられて形成された伸縮素材であってもよいし、縦横の２方向に延びる伸縮性の２ｗａｙユニットであってもよい。
【００２１】
両側部３は、中央部２から離れるに従って広がる形状とされている。両側部３は、長手方向Ａ１及び幅方向Ａ２に対して傾斜する斜辺３ａを有する。斜辺３ａは、長手方向Ａ１の両端側に向かうに従って幅方向Ａ２の中央から離れる方向（枕１の四隅側）に傾斜している。各両側部３において、斜辺３ａは一対に設けられている。各斜辺３ａは、完全な直線状ではなく、緩やかに膨張するように湾曲している。また、長手方向Ａ１の一方側の斜辺３ａと、中央部２の一辺とによって曲線状の滑らかな縫い目が複数本形成されている。これらの流線形を成す縫い目によって、枕１のデザイン性が高められている。
【００２２】
各両側部３は、幅方向Ａ２の中央に位置する三角形状の中央部分３ｂと、中央部分３ｂの幅方向Ａ２の両側に位置する三角形状の両側部分３ｃとを有する。中央部分３ｂと両側部分３ｃとの境目部分は緩やかに湾曲する縫い目とされており、この縫い目によってデザイン性が高められている。また、各両側部３の素材は、中央部２の素材と同一であってもよい。両側部３の伸び率は両端部４の伸び率よりも高い。
【００２３】
両端部４は、中央部２及び両側部３と比較して伸びない布地とされている。各両端部４は、長手方向Ａ１の中央に位置する中央部分４ａと、中央部分４ａの長手方向Ａ１の両端側に位置する両端部分４ｂとを有する。中央部分４ａの素材は、例えば、ブロード、メッシュ又は布帛である。
【００２４】
両端部分４ｂは、例えば、ジャガード織りによって形成されており、具体的には、菱形ジャガードとされている。また、両端部分４ｂには、キルティングが施されていてもよい。このようにカバー１Ａの四隅の両端部分４ｂにジャガード織り又はキルティングが施されることにより、枕１のデザイン性が更に高められている。また、中央部分４ａと両端部分４ｂとの境目部分は、幅方向Ａ２の両端側に向かうに従って長手方向Ａ１の両端側に傾斜するように湾曲している。
【００２５】
以上のように構成される枕１のカバー１Ａにおいて、例えば、中央部２と両側部３は互いに同一の素材であり、両端部４は中央部２及び両側部３とは異なる素材である。よって、カバー１Ａの製造方法としては、中央部２及び両側部３に直接両端部４を縫い込んでもよい。また、カバー１Ａの製造方法としては、中央部２及び両側部３の伸びる素材が内側、両端部４の伸びない素材が外側に位置するように２枚の素材を貼り合わせた後に、中央部２及び両側部３に相当する部分から伸びない素材を切り取ってもよい。
【００２６】
図２は、図１のII−II線断面図である。図２に示されるように、枕１の内部には、上側に位置する芯材１０と、芯材１０の下側でカバー１Ａの内面１ｅに縫い込まれた中層２０（固定部）と、中層２０の下側に位置する下層材３０とが設けられる。芯材１０は、枕１の上側に位置するので、トップユニットとも称される。芯材１０及び下層材３０は、枕１の下面（図１に示される枕１の反対側の面）で長手方向Ａ１に延びるファスナーを開閉することによって、カバー１Ａに対して出し入れ可能とされている。
【００２７】
中層２０の内部には内容物２１が収容されており、内容物２１は、例えば、綿、パイプ材又はウレタンチップである。また、下層材３０は、例えばウレタンシートであり、柔らかい素材によって構成されている。下層材３０は、長手方向Ａ１及び幅方向Ａ２に延びる長方形状とされている。下層材３０は、例えば、ウレタン素材にプロファイル加工が施された中材にカバーが被せられることによって構成される。この場合、下層材３０は、プロファイル加工が施されて凹凸が形成された面が上側を向くようにカバー１Ａの内部に収容される。
【００２８】
図３は、芯材１０を示す斜視図である。図３に示されるように、芯材１０は、略長方形状を呈しており、全体として高い柔軟性を有している。芯材１０は布製である。芯材１０は、長手方向Ａ１に延在する２つの端辺１０ａ、及び幅方向Ａ２に延在する２つの端辺１０ｂのそれぞれに、例えばボタンが設けられた６つの接続部１０ｃを備える。芯材１０は、その長手方向Ａ１の中央に位置する中央部分１２と、中央部分１２の両側に位置する両側部分１３とを備えている。中央部分１２及び両側部分１３は、長手方向Ａ１に沿って並設されており、中央部分１２は、２つの両側部分１３の間に位置している。
【００２９】
図４は、芯材１０の表側（上側）の面を示す図である。図３及び図４に示されるように、中央部分１２は、使用者Ｍの後頭部Ｍ２（図６参照）の頭頂部側が乗せられる部分１２ａと、後頭部Ｍ２と首Ｍ１との間が乗せられる部分１２ｂ（第１部分）と、首Ｍ１の背中側が乗せられる部分１２ｃとを有する。部分１２ｂは長方形状とされている。部分１２ａ及び部分１２ｃは台形状であり、部分１２ａの幅方向Ａ２の長さは、部分１２ｃの幅方向Ａ２の長さよりも長い。
【００３０】
両側部分１３は、幅方向Ａ２の中央に位置する部分１３ａ（第２部分）と、部分１３ａの幅方向Ａ２の一方側（部分１２ａ側）に位置する部分１３ｂと、部分１３ａの幅方向Ａ２の他方側（部分１２ｃ側）に位置する部分１３ｃとを有する。部分１３ａは、部分１２ｂ側に頂点を有する三角形状とされている。
【００３１】
両側部分１３は、中央部分１２に対して左右対称に配置されている。すなわち、中央部分１２の左側に位置する両側部分１３、及び中央部分１２の右側に位置する両側部分１３は、対称に配置されている。従って、以下では、一方側の両側部分１３のみについて説明し、他方側の両側部分１３の説明は適宜省略する。
【００３２】
芯材１０の部分１２ａ側の端辺１０ａからは、芯材１０の内部空間を仕切るマチ部１４が延びている。マチ部１４は、部分１２ａ及び部分１３ｂを仕切る第１部分１４ａと、部分１２ａ及び部分１２ｂを仕切る第２部分１４ｂとを含んでいる。第１部分１４ａ及び第２部分１４ｂは滑らかに連続している。マチ部１４の各第１部分１４ａは、幅方向Ａ２に対して傾斜すると共に部分１２ｂに向かって直線状に延びている。第２部分１４ｂは、長手方向Ａ１に沿って直線状に延びている。
【００３３】
芯材１０の部分１２ｃ側の端辺１０ａからは、マチ部１４と同様の形状とされたマチ部１５が延びている。マチ部１５は、部分１２ｃ及び部分１３ｃを仕切る第３部分１５ａと、部分１２ｂ及び部分１２ｃを仕切る第４部分１５ｂとを含んでいる。第３部分１５ａ及び第４部分１５ｂそれぞれの向きは、第１部分１４ａ及び第２部分１４ｂそれぞれの向きと同様であるが、各第３部分１５ａの長さは各第１部分１４ａの長さよりも短い。
【００３４】
部分１２ｂと両側部分１３との間には、マチ部１６が幅方向Ａ２に延びている。このマチ部１６は、部分１２ｂ及び部分１３ｂを仕切ると共に、部分１２ｂ及び部分１３ｃを仕切っている。また、部分１２ｂには、部分１２ｂの内部空間の一部を仕切るマチ部１２ｄが長手方向Ａ１に沿って延びている。
【００３５】
部分１３ａと部分１３ｂとの間には、マチ部１７が直線状に延びている。マチ部１７は、長手方向Ａ１の端部（端辺１０ｂ）から中央部分１２に向かうに従って、長手方向Ａ１に延びる端辺１０ａから離れる方向に傾斜している。マチ部１７の一端は、端辺１０ｂにおいて部分１２ａ側に位置しており、マチ部１７の他端は、マチ部１６の中点付近（芯材１０の幅方向Ａ２の中央付近）に位置している。
【００３６】
部分１３ａと部分１３ｃとの間には、マチ部１８が直線状に延びている。マチ部１８は、マチ部１７と同様、長手方向Ａ１の端部（端辺１０ｂ）から中央部分１２に向かうに従って、端辺１０ａから離れる方向に傾斜している。マチ部１８の一端は端辺１０ｂにおいて部分１２ｃ側に位置しており、マチ部１８の他端はマチ部１６の中点付近においてマチ部１７と接続している。
【００３７】
部分１３ｂには、部分１３ｂの内部空間の一部を仕切るマチ部１３ｄが設けられており、マチ部１３ｄは、マチ部１７に沿って延びている。部分１３ｃには、部分１３ｃの内部空間の一部を仕切るマチ部１３ｅが設けられており、マチ部１３ｅは、マチ部１８に沿って延びている。マチ部１３ｄ及びマチ部１３ｅのそれぞれは、マチ部１７及びマチ部１８それぞれと略平行に延びている。
【００３８】
以上のように、マチ部１４〜１８によって、芯材１０の内部空間は９分割されている。また、マチ部１２ｄ，１３ｄ，１３ｅのそれぞれによって、部分１２ｂ、部分１３ｂ及び部分１３ｃそれぞれの内部空間の一部分が仕切られている。マチ部１４〜１８及びマチ部１２ｄ，１３ｄ，１３ｅは、例えば立体マチである。
【００３９】
図５は、芯材１０の下側（図４の反対側）の面を示す図である。図５に示されるように、部分１２ａと、部分１２ｂ及び部分１２ｃの境目部分と、部分１３ｂと、部分１３ｃと、のそれぞれには、長手方向Ａ１に延びるファスナー１９ａ〜１９ｄが設けられている。ファスナー１９ａ〜１９ｄは、部分１２ａ、部分１２ｂ、部分１２ｃ、部分１３ｂ及び部分１３ｃのそれぞれに柔軟性素材からなる内容物Ｃを収容するために設けられている。内容物Ｃとしては、種々のものを用いることが可能であるが、例えば綿、羽毛又はパイプが用いられる。
【００４０】
ファスナー１９ａは、部分１２ａの内容物Ｃの量を調整するために設けられており、ファスナー１９ａを開けることによって内容物Ｃの収容及び内容物Ｃの取り出しを行うことが可能である。ファスナー１９ｂは、部分１２ｂの内容物Ｃの量と、部分１２ｃの内容物Ｃの量を調整するために設けられる。ファスナー１９ｃは部分１３ｂの内容物Ｃの量、ファスナー１９ｄは部分１３ｃの内容物Ｃの量、をそれぞれ調整するために設けられる。
【００４１】
また、芯材１０の端辺１０ｂに沿ったファスナー１９ｅが左右一対に設けられており、このファスナー１９ｅは、部分１３ａに内容物Ｄを収容するために設けられる。内容物Ｄは、例えば、粒綿、羽毛又はポリエステルわたであり、内容物Ｃと比較して軽量で且つ柔らかいものが用いられる。なお、ファスナー１９ａ〜１９ｅの位置、形状、大きさ及び数については適宜変更可能である。
【００４２】
図３に示されるように、芯材１０において、内容物Ｃ，Ｄの量（密度）は、部分１３ｂ及び部分１３ｃが最も多く、部分１２ａ及び部分１２ｃが次に多く、部分１２ｂが３番目に多く、部分１３ａが最も少ない。部分１３ａに収容される内容物Ｄの体積は、部分１３ａ以外の部分に収容される内容物Ｃの体積よりも小さい。このように内容物Ｃ，Ｄの量を調整することにより、部分１３ｂ及び部分１３ｃが最も大きく膨らみ、部分１２ａ及び部分１２ｃが次に大きく膨らみ、部分１２ｂが３番目に大きく膨らみ、部分１３ａの膨らみが最も小さい。従って、部分１３ａは、他の部分と比較して相対的に凹むことになる。これに伴い、芯材１０が収容された枕１では、中央部２及び両側部３が両端部４に対して相対的に凹むことになる。
【００４３】
また、部分１２ｂ及び部分１３ａは、それ以外の部分１２ａ，１２ｃ，１３ｂ，１３ｃとは異なる布地によって構成されている。部分１２ｂ及び部分１３ａの伸縮性は、他の部分１２ａ，１２ｃ，１３ｂ，１３ｃの伸縮性よりも高い。部分１２ｂ及び部分１３ａは、例えば、パワーストレッチで構成されており、部分１２ｂ及び部分１３ａの伸び率は４０％以上である。これに対し、他の部分１２ａ，１２ｃ，１３ｂ，１３ｃの伸び率は、例えば１０％以上且つ２０％未満である。また、部分１２ｂ及び部分１３ａは、ポリエチレンの糸が縦横に編み上げられて形成された伸縮素材であってもよいし、縦横の２方向に伸びる伸縮性の２ｗａｙユニットであってもよい。
【００４４】
他の部分１２ａ，１２ｃ，１３ｂ，１３ｃは、例えば伸びない布地で構成されている。他の部分１２ａ，１２ｃ，１３ｂ，１３ｃの素材は、例えば、ブロード、メッシュ又は布帛である。なお、部分１２ａ，１２ｂ，１２ｃ，１３ａ，１３ｂ，１３ｃの素材は、前述したものに限定されず適宜変更可能である。
【００４５】
以上のように構成される枕１から得られる作用効果について説明する。
【００４６】
図６に示されるように、枕１は、長手方向Ａ１及び幅方向Ａ２の中央に位置する中央部２と、中央部２の長手方向Ａ１の両側に位置する両側部３とを備え、両側部３は、中央部２から離れるに従って広がる形状とされている。よって、使用者Ｍが横向き寝をしたときには、頬Ｍ３及び側頭部Ｍ４を両側部３に入りやすくすることができる。
【００４７】
また、枕１では、中央部２及び両側部３は、他の部分（両端部４）と比較して伸縮性が高い布地によって構成されている。従って、使用者Ｍが横向き寝をすると、頬Ｍ３及び側頭部Ｍ４が伸縮性の高い両側部３に入り込む。一方、使用者Ｍが横向き寝をしたときに、使用者Ｍの首Ｍ１は、両側部３の幅方向Ａ２両端側に位置する伸縮性の低い両端部４に接触する。よって、頬Ｍ３及び側頭部Ｍ４は伸縮性が高い両側部３に入り込むと共に首Ｍ１は伸縮性が低い両端部４に接触し、伸縮性が高い頬Ｍ３及び側頭部Ｍ４の接触部分を伸縮性が低い首Ｍ１の接触部分よりも凹ませることができる。従って、伸縮性が低い両端部４に使用者Ｍの首Ｍ１を埋め込ませることができるので、首Ｍ１が枕１から浮くことを抑制することができる。
【００４８】
このように、使用者Ｍが自然に横向き寝をしても首Ｍ１と枕１との間に隙間が空かず、首Ｍ１を枕１に埋め込ませることによって頬Ｍ３に対する圧力を低減させることができるので、頬Ｍ３及び側頭部Ｍ４にかかる負担を低減させることができる。従って、使用者Ｍを自然な寝姿勢に導いて寝返り性を高めることができ、首Ｍ１を幅方向Ａ２に延びるように真っ直ぐにすることができるので寝心地を良好にすることができる。
【００４９】
前述したように、カバー１Ａにおいて、幅方向Ａ２の中央に位置する中央部２及び両側部３は、他の部分と比較して伸縮性が高い布地によって構成されている。ところで、仮に、中央部２及び両側部３に相当する部分が両端部４と同一の伸縮性を有する場合、使用者Ｍが後頭部Ｍ２を中央部２に乗せたときに、中央部２の凹みに応じて他の部分が引っ張られることになり、当該他の部分において十分な膨らみを維持できなくなることが懸念される。しかしながら、枕１では、中央部２及び両側部３が両端部４よりも伸縮性が高い布地で構成されているので、中央部２又は両側部３が凹んでも両端部４を引っ張られにくくすることができる。従って、両端部４において十分な膨らみを維持することができるので、首Ｍ１を確実に両端部４に入り込ませることができ、一層良好な寝心地を使用者Ｍに与えることができる。
【００５０】
また、両側部３は、長手方向Ａ１及び幅方向Ａ２に対して傾斜する斜辺３ａを有する。よって、使用者Ｍが横向き寝をしたときに頬Ｍ３を両側部３に一層入り込ませやすくすることができると共に、首Ｍ１を枕１に密着させることができる。従って、横向き寝をしたときにおける頬Ｍ３への圧迫感を低減させることができるので、横向き寝をした時のフィット感を良好にすることができる。
【００５１】
また、図２及び図３に示されるように、カバー１Ａの内部空間を仕切るようにカバー１Ａの内面１ｅに固定された中層２０と、カバー１Ａの内面１ｅ及び中層２０の間に収容される芯材１０と、を更に備える。芯材１０は、長手方向Ａ１及び幅方向Ａ２の中央に位置する部分１２ｂ（第１部分）と、部分１２ｂの長手方向Ａ１の両側に位置する部分１３ａ（第２部分）と、を有する。部分１２ｂ及び部分１３ａは、芯材１０の他の部分と比較して伸縮性が高い布地によって構成されている。よって、芯材１０の布地の構成がカバー１Ａの布地の構成と同様になるため、芯材１０とカバー１Ａとの相乗効果により、頬Ｍ３及び側頭部Ｍ４への負担軽減の効果をより高めることができる。従って、寝返り性を一層高めることができるので、寝心地を更に良好にすることができる。
【００５２】
図５に示されるように、部分１２ｂの内部空間と部分１３ａの内部空間とは仕切られており、部分１２ｂの内部空間と部分１３ａの内部空間には内容物Ｃ，Ｄが収容されており、部分１３ａの内部空間に収容される内容物Ｄは、部分１２ｂの内部空間に収容される内容物Ｃよりも柔らかい材料によって構成されている。よって、芯材１０の長手方向Ａ１の両端側に位置する部分１３ａを柔らかくすることができるので、横向き寝をしたときの頬Ｍ３への圧迫感を更に和らげることができる。従って、横向き寝をしたときのフィット感を一層高めることができる。
【００５３】
以上、本発明に係る枕の実施形態について説明した。しかしながら、本発明は、前述した実施形態に限定されるものではなく、各請求項に記載した要旨を変更しない範囲で変形し、又は他のものに適用したものであってもよい。すなわち、本発明に係る枕の構成は、各請求項の要旨を変更しない範囲で種々の変形が可能である。
【００５４】
例えば、前述した実施形態では、芯材１０、中層２０及び下層材３０を備えた三層式の枕１について説明したが、枕１の内部の芯材の数は３つに限定されず適宜変更可能である。例えば、中層２０及び下層材３０の少なくともいずれかを省略することが可能である。
【００５５】
また、前述の実施形態では、菱形状とされた中央部２、キルティングが施された両端部分４ｂを備えたカバー１Ａについて説明したが、中央部の形状及び大きさについては適宜変更可能である。また、中央部、両側部及び両端部の素材は適宜変更することが可能である。
【００５６】
また、前述の実施形態では、カバー１Ａの四隅の両端部分４ｂにジャガード織り又はキルティングが施される例について説明したが、両端部分４ｂの構成は、特にこの例に限定されず適宜変更可能である。更に、キルティング又はジャガード織りが施される部位を適宜変更することも可能である。
【００５７】
また、前述の実施形態では、芯材１０の部分１２ｂが長方形状である例について説明したが、長手方向Ａ１及び幅方向Ａ２の中央に位置する部分の形状は長方形状に限定されない。また、芯材の布地の表面構成がカバーの布地の表面構成と同一であってもよい。
【００５８】
また、前述の実施形態では、内部空間が９分割されている芯材１０について説明したが、内部空間の分割数は９分割でなくてもよく、８分割以下又は１０分割以上であってもよい。更に、中央部分１２及び両側部分１３を構成する各部分１２ａ，１２ｂ，１２ｃ，１３ａ，１３ｂ，１３ｃの形状、大きさ及び材料は適宜変更可能である。更に、前述の実施形態では、部分１３ａに内容物Ｄが収容される例について説明した。しかしながら、部分１３ａの内部空間には内容物Ｄが収容されなくてもよい。
【符号の説明】
【００５９】
１…枕、１Ａ…カバー、１ａ，１ｂ…端辺、１ｃ…凹部、１ｄ…補強部、１ｅ…内面、２…中央部、３…両側部、３ａ…斜辺、３ｂ…中央部分、３ｃ…両側部分、４…両端部、４ａ…中央部分、１０…芯材、１０ａ，１０ｂ…端辺、１０ｃ…接続部、１２…中央部分、１２ａ，１２ｃ，１３ｂ，１３ｃ…部分、１２ｂ…部分（第１部分）、１２ｄ，１３ｄ，１３ｅ，１４〜１８…マチ部、１３…両側部分、１３ａ…部分（第２部分）、１４ａ…第１部分、１４ｂ…第２部分、１５ａ…第３部分、１５ｂ…第４部分、１９ａ〜１９ｅ…ファスナー、２０…中層、２１…内容物、３０…下層材、Ａ１…長手方向、Ａ２…幅方向、Ｃ，Ｄ…内容物、Ｌ１，Ｌ２…中心軸線、Ｍ…使用者、Ｍ１…首、Ｍ２…後頭部、Ｍ３…頬、Ｍ４…側頭部、Ｏ…中心。
【図１】
2018108136.tif 000003
【図２】
2018108136.tif 000004
【図３】
2018108136.tif 000005
【図４】
2018108136.tif 000006
【図５】
2018108136.tif 000007
【図６】
2018108136.tif 000008